(57)【要約】【課題】コンバインの旋回時に唐箕の吸気口を確実に閉じる動作が可能なシャッター８０を備えて脱穀で得た穀粒が排塵として機外に放出されてロスされることを防ぐことができる脱穀装置を提供すること。【解決手段】脱穀装置１５で穀稈から穀粒を脱粒させた後に、送風選別するための唐箕７９の両側に位置する壁面に吸気口５４を開閉するためのシャッター８０の回動支点８０ａに対して吸気口５４とは反対側のシャッター８０の端部に刈取装置６が上動するとシャッター８０が回動して吸気口５４を閉じ、刈取装置６が下動するとシャッター８０が回動して吸気口５４を開くように刈取装置６の上下動に連動するスプリング２５とワイヤ２６を接続している。またスプリング２５とワイヤ２６を刈取装置６の上下動用の支持機構を構成する刈取アーム２４の端部に接続し、刈取装置６で刈り取った穀稈を導入する脱穀装置１５の入口部に配置する入口漏斗１３を刈取アーム２４の上方に配置する。【選択図】図８
2008271788.tif 000002
【特許請求の範囲】
【請求項１】
上下動自在の刈取装置（６）と、脱穀後の処理物を送風選別するための唐箕（７９）を備えた脱穀装置（１５）とを設けたコンバインにおいて、
前記唐箕（７９）の両側に設けた吸気口（５４，５４）を開閉するためのシャッター（８０，８０）を設け、該シャッター（８０，８０）の回動支点（８０ａ，８０ａ）に対して吸気口（５４，５４）とは反対側のシャッター（８０，８０）の端部に、前記刈取装置（６）が上動するとシャッター（８０，８０）が回動して吸気口（５４，５４）を閉じ、前記刈取装置（６）が下動するとシャッター（８０，８０）が逆方向に回動して吸気口（５４，５４）を開くように、刈取装置（６）の上下動に連動するスプリング（２５，２５）とワイヤ（２６，２６）を接続したことを特徴とするコンバイン。
【請求項２】
前記スプリング（２５，２５）とワイヤ（２６，２６）を刈取装置（６）の上下動用の支持機構を構成する伝動ケース（１７）と一体の刈取アーム（２４，２４）の端部に接続し、該刈取アーム（２４，２４）を脱穀装置（１５）の入口部に配置する入口漏斗（１３，１３）の下方に配置したことを特徴とする請求項１記載のコンバイン。
【発明の詳細な説明】
【技術分野】
【０００１】
本発明は、穀稈を刈り取り、脱穀するコンバインに関する。
【背景技術】
【０００２】
コンバインは穀稈の刈取装置と、脱穀装置と、脱穀後一時的に穀粒を貯留するグレンタンクと、グレンタンクに貯留されている穀粒を排出するオーガなどから構成される。  
脱穀装置の主脱穀部である扱室には刈取装置で刈り取った穀稈がフィードチェンにより供給され、穀稈は扱室に軸架された扱胴の表面に多数設けられた扱歯と扱網との相互作用により脱穀される。穀稈から分離された被処理物（穀粒や藁くず）は扱網を通過して、選別室の揺動棚で受け止められ、二番穀粒（二番物という場合がある）や藁屑などを分離して穀粒のみをグレンタンクに搬送する。
【０００３】
二番穀粒は扱室の側方に設けられた二番処理室に送られ二番処理胴により穀粒、枝梗粒などに分離され、再び揺動棚に落下して比重選別や送風選別されて穀粒、藁屑などに分離される。扱室で発生した藁くずなど短尺のものは排塵処理室に搬送され、排塵処理胴により処理される。
【０００４】
脱穀装置の中で最初に穀稈が挿入される扱室においては、被処理物が搬送されながら扱胴が回転することで穀稈の大部分が脱穀される。そして、扱室から落下する被処理物は、選別室において、上下前後方向に揺動する揺動棚上を移動しながら、後方のシーブで唐箕からの送風を受けて風力選別される。
【０００５】
選別室においては、揺動棚上を移動してきた被処理物や扱室から落下する被処理物を濾過選別し、排藁などは機外に排出し、枝梗粒や穂切れ粒、稈切れ粒などと単粒とを分別して枝梗粒や穂切れ粒、稈切れ粒のみ二番処理室に送り、単粒はグレンタンクへ送る。
【０００６】
下記特許文献１などに開示された脱穀装置では旋回時に唐箕の周りに設けられた吸気口から取り込む吸気量を減らすシャッターを閉じて唐箕の回転数を一段落とすことで唐箕風を少なくして被選別物量の減少に応じた適度の選別風することで多くの穀粒が機外に飛散されることを防いでいる。
【特許文献１】特開２００１−９５３６６号公報
【発明の開示】
【発明が解決しようとする課題】
【０００７】
上記特許文献１記載の構成によれば、コンバインの旋回時に穀粒が機外に飛散されることは防ぐことができるが、刈取装置とフィードチェンの駆動が停止するとシャッターを閉じるためのワイヤーが作動するという構成であり、その具体的な構成が開示されていない。
【０００８】
そこで、本発明の課題は、コンバインの旋回時に唐箕の吸気口を確実に閉じる動作が可能なシャッターを備えた脱穀装置を提供することである。
【課題を解決するための手段】
【０００９】
上記課題は次の解決手段により解決できる。  
請求項１記載の発明は、上下動自在の刈取装置（６）と、脱穀後の処理物を送風選別するための唐箕（７９）を備えた脱穀装置（１５）とを設けたコンバインにおいて、前記唐箕（７９）の両側に設けた吸気口（５４，５４）を開閉するためのシャッター（８０，８０）を設け、該シャッター（８０，８０）の回動支点（８０ａ，８０ａ）に対して吸気口（５４，５４）とは反対側のシャッター（８０，８０）の端部に、前記刈取装置（６）が上動するとシャッター（８０，８０）が回動して吸気口（５４，５４）を閉じ、前記刈取装置（６）が下動するとシャッター（８０，８０）が逆方向に回動して吸気口（５４，５４）を開くように、刈取装置（６）の上下動に連動するスプリング（２５，２５）とワイヤ（２６，２６）を接続したコンバインである。
【００１０】
請求項２記載の発明は、前記スプリング（２５，２５）とワイヤ（２６，２６）を刈取装置（６）の上下動用の支持機構を構成する伝動ケース（１７）と一体の刈取アーム（２４，２４）の端部に接続し、該刈取アーム（２４，２４）を脱穀装置（１５）の入口部に配置する入口漏斗（１３，１３）の下方に配置した請求項１記載のコンバインである。
【発明の効果】
【００１１】
請求項１記載の発明によれば、刈取装置６の上下動に連動してシャッター８０，８０が開閉する構成とし、コンバインを旋回させるために刈取装置６を上昇させるとシャッター８０，８０が閉じて唐箕７９の風速を落とし、脱穀で得た穀粒が藁屑等と共に機外に放出されて収穫損失となることが少なくなり、刈取作業時には唐箕シャッター８０，８０を開ける事で、選別性能を向上させる。また、刈取装置６側にスプリング２５，２５を介してワイヤ２６，２６を連結し、該ワイヤ２６，２６の先端に端部を連結されているシャッター８０，８０が吸気口５４，５４を閉じる構成であるので、シャッター８０，８０の作動部に無理な力が掛からない。
【００１２】
請求項２記載の発明によれば、請求項１記載の発明の効果に加えて、刈取アーム２４，２４の端部にワイヤー２６，２６を取り付けることでワイヤー２６，２６のストロークを少なくして、刈取装置６の上下動を感知できる。また、刈取アーム２４，２４を入口漏斗１３，１３の下方に配置することで刈取アーム２４，２４に藁屑が堆積することを防止でき、作動状態を円滑に維持することができる。
【発明を実施するための最良の形態】
【００１３】
本発明の実施の形態を図面と共に説明する。図１には本発明の実施の形態の穀類の収穫作業を行うコンバインの左側面図を示し、図２には図１のコンバインの右側面図を示し、図３には図１のコンバインの平面図を示し、図４には図１のコンバインの正面図を示し、図５には図３の脱穀装置の背面図を示し、図６には図５の脱穀装置の背面図を示し、図７には図１のコンバインの脱穀装置の扱胴などの処理胴を含む部分の一部切り欠き平面図を示す。  
なお、本明細書ではコンバインの前進方向を前、後進方向を後、前進方向に向かって左右方向をそれぞれ左、右という。
【００１４】
コンバイン１の走行フレーム２の下部には、ゴムなどの可撓性材料を素材として無端帯状に成型した左右一対のクローラ４を持ち、乾田はもちろんのこと、湿田においてもクローラ４が若干沈下するだけで自由に走行できる構成の走行装置３を備え、走行フレーム２の前部には刈取装置６を搭載し、走行フレーム２の上部にはエンジン（図示せず）、脱穀装置１５、操縦席２０およびホッパ３０を搭載する。
【００１５】
刈取装置６は、刈取昇降シリンダ１０の伸縮作用により刈取装置６全体を昇降して、圃場に植生する穀稈を所定の高さで刈取りができる構成としている。刈取装置６の前端下部に分草具７を、その背後に傾斜状にした穀稈引き起こし装置８を、その後方底部には刈刃１１を配置している。刈刃１１と脱穀装置１５のフィードチェン１４の始端部との間に、図示しない前部搬送装置、扱深さ調節装置、供給搬送装置などを順次穀稈の受継搬送と扱深さ調節とができるように配置している。
【００１６】
コンバイン１の刈取装置６の作動は次のように行われる。まず、エンジン（図示せず）を始動して変速用、操向用などの操作レバー１６（図３）をコンバイン１が前進するように操作し、刈取クラッチレバー１７ａ・脱穀クラッチレバー１７ｂ（図３に記入し、添付しました。）を入り操作して機体の回転各部を伝動しながら、走行フレーム２を前進走行させると、刈取、脱穀作業が開始される。圃場に植立する穀稈は、刈取装置６の前端下部にある分草具７によって分草作用を受け、次いで穀稈引き起こし装置８の引起し作用によって倒伏状態にあれば直立状態に引起こされ、穀稈の株元が刈刃１１に達して刈取られ、前部搬送装置に掻込まれて後方に搬送され、扱深さ調節装置、供給搬送装置に受け継がれて順次連続状態で後部上方に搬送される。
【００１７】
次いで、穀稈は供給搬送装置からフィードチェン１４の始端部に受け継がれ、脱穀装置１５に供給される。脱穀装置１５は、上側に扱胴６９を軸架した扱室６６を配置し、扱室６６の下側に選別室５０を一体的に設け、供給された刈取穀稈を脱穀、選別する。
【００１８】
脱穀装置１５に供給された穀稈は、挟扼杆１２とフィードチェン１４に挟持されながら主脱穀部である扱室６６に挿入され、扱室６６に軸架され回転する扱胴６９の多数の扱歯６９ａにより脱穀され、被処理物（穀粒や藁くず）は脱穀装置１５内の選別室５０の揺動棚５１で受け止められ、上下前後方向に揺動する揺動棚５１上を寄せ板（図示せず）で揺動棚５１の幅方向に均一な層厚になるように拡散されて後方へ送られながら、唐箕７９からの送風を受けて風力選別され、比重の重い穀粒はシーブ５３および選別網６３から漏下して、一番棚板６４上を流下し、一番螺旋６５ａから搬送螺旋（図示せず）を内蔵している一番揚穀筒６５（図６）を経てホッパ３０へ搬送され、このホッパ３０に一時貯留される。
【００１９】
脱穀装置１５の扱室６６の終端に到達した脱穀された残りの穀稈で長尺のままのものは、排藁チェーン（図示せず）に挟持されて搬送され、脱穀装置１５の後部の排藁処理室９５の藁用カッター８１ａ、８１ｂ（図５）に投入された後、切断され、圃場に放出される。
【００２０】
ホッパ３０内に貯留した穀粒を排出シュータ１９ａ（図２）から籾袋に排出する。刈取装置６で刈り取った穀稈は刈取装置６に装着された扱深さ調節装置で扱深さなどが調節され、脱穀装置１５の主脱穀部である扱室６６内に挿入される。扱室６６に軸架された扱胴６９は、その表面に多数の扱歯６９ａが設けられており、エンジン（図示せず）からの動力が扱胴６９の回転軸（図示せず）に伝達され、回転する。
【００２１】
扱室６６に挿入された穀粒の付いた穀稈は、移動するフィードチェン１４とフィードチェン挟扼杆１２（図１、図４）との間に挟扼され、後方に移送されながら、回転する扱胴６９の扱歯６９ａにより脱穀される。穀稈から分離された被処理物（穀粒や藁くず）は図示しない扱網を通過して、揺動棚５１で受け止められる。
【００２２】
揺動棚５１は扱室６６の扱網の下方に配置した移送棚５２とその後方に配置した上方のシーブ５３とその下方の選別網６３とストローラック６２などから構成されている。
【００２３】
扱室６６の前方の約１／３の領域で漏下する脱穀初期に脱粒した穀粒は単粒であり、夾雑物も含んでいないので図５などに示すシーブ５３上で粗選別する必要が無く、直接選別網６３で唐箕７９からの送風により風選することができ、シーブ５３の負荷を軽くし、能率的な脱穀が可能となる。
【００２４】
また、揺動棚５１は揺動棚駆動機構（図示せず）の作動により上下前後方向に揺動するので、被処理物は矢印Ａ方向（図５）に移動しながら、移送棚５２上に漏下した比重の重い穀粒は選別網６３を矢印Ｂ方向に通過し、一番棚板６４で集積され、一番螺旋６５ａから一番揚穀筒６５を経てホッパ３０へ搬送される。ホッパ３０に貯留された穀粒は、シャッターの開放操作によって排出シュータ１９aに装着された籾袋に充填される。
【００２５】
揺動棚５１の上の被処理物のうち軽量のものは、揺動棚５１の揺動作用と唐箕７９のファン７９ａによる送風に吹き飛ばされて、移送棚５２からシーブ５３に向けて矢印Ａ方向（図５）に移動し、シーブ５３の目合いを通過する大きさの小さい二番穀粒と、このシーブ５３に続くストローラック６２（図６）の隙間から漏下する藁屑の混じった二番穀粒とは矢印Ｃ方向に漏下して二番棚板８５上を流下し、二番螺旋８６の設置部分に集められ、二番還元筒８７へ搬送され、二番還元筒８７から二番処理室５８（図７）の後部に送られて、二番処理胴７０の螺旋７０ａで前方へ移送されながら処理される。さらに軽いものは排塵ファン９１で矢印Ｄ方向（図３）の機外に排出される。  
なお、図５〜図７に示すように排藁処理室９５には排塵ファン９１からの吹き出し風を後述する分離板９３、案内板９４、風ガイド９７、及び傾斜板９８に沿う方向に誘導する排出ガイド９９（図５）が設けられている。
【００２６】
図５及び図７に示すように扱胴６９に隣接して二番処理胴７０を配置し、該二番処理胴７０は扱室６６を構成する壁面の前壁である前板６６ａと中板６６ｂとの間に設けている。なお、中板６６ｂは二番処理胴７０の後端部に位置し、該中板６６ｂと後板６６ｃとの間に連通口６６ｘを形成する。即ち、中板６６ｂは、二番処理室５８側と排塵処理室５９側とを仕切る壁となる。
【００２７】
前記二番穀粒（二番物）は、正常な穀粒、枝梗粒、藁くずなどの混合物であり、二番還元筒８７の中を二番螺旋により上方に揚送されて、二番処理室５８の後端上部に開口した入口から斜め前方へ向けて放出される。前記二番処理室５８の下部に軸架する二番処理胴７０に設けられた二番処理螺旋（螺旋体）７０ａによって前方側へ搬送される間に穀粒の分離と枝梗粒からの枝梗の除去を行い、一部の被処理物は漏下して揺動棚５１に落下して扱室６６からの被処理物と合流して再選別される。
【００２８】
なお、扱室６６の被処理物搬送方向終端部に到達した被処理物は、図７に示す連通口６６ｘから矢印Ａ方向に搬送されて排塵処理室５９に入り、該排塵処理室５９では回転する排塵処理胴７１（二番処理胴７０と同軸）の螺旋体７１ａにより搬送されながら解砕、処理される。この被処理物中には、少量ながら枝梗の付着した穀粒が含まれており、この枝梗付着粒および小さな藁屑は、格子状の受け網（濾過部材）７２（図６）を漏下して揺動棚５１に落下する。
【００２９】
さらに詳細に説明すると、揺動棚５１におけるシーブ５３の前部から選別網６３上へ漏下した被処理物は、唐箕７９からの選別風を下側から受けて細かな藁屑が吹き飛ばされながら後方に移送され、この移送中に選別網６３から漏下したものが一番螺旋６５ａに取り込まれる。このように、選別網６３から漏下して一番螺旋６５ａに取り込まれる被処理物は、枝梗付着の少ない穀粒（清粒）が主である。
【００３０】
一方、この選別網６３から漏下しないものは、この選別網６３上を後方へ移送されて該選別網６３の後端部から二番螺旋８６側に供給される。選別網６３から漏下せずに二番螺旋８６側に供給される被処理物は、枝梗付着粒や小さな藁屑等が主である。
【００３１】
また、シーブ５３の前部から漏下しない被処理物は、このシーブ５３上を後方へ移送されて該シーブ５３の後部から漏下して、二番螺旋８６側に供給される。このように、シーブ５３の後部から漏下して二番螺旋８６に取り込まれるものは、主として藁屑である（僅かに穀粒も含まれる）。これら枝梗付着粒や藁屑を二番還元して再処理する。
【００３２】
また、シーブ５３の後端まで移送されたものは、矢印Ｄ方向（図５）にそのまま脱穀装置１５の外へ排出される。この中には僅かな穀粒が含まれていることがあり、この量（比率）によって、脱穀装置１５の選別精度が評価される。  
このように、一番螺旋６５ａ又は二番螺旋８６にはそれぞれ、主に清粒、枝梗付着粒、藁屑といった大きさ（目合いを漏下するか否か）及び形状（選別風の影響を受け易いか）によって選別された被処理物が供給される。
【００３３】
また、排塵処理室５９の後端部から外部へ排出される排塵物と、選別室５０の後端部から外部へ排出される排塵物とを、該揺動棚５１の後端部の幅方向いっぱいに後下がりの傾斜状に取り付けた一枚の分離板９３と該分離板９３の上に背面視右下がり状に配置した複数の案内板９４によって、後部左右のいずれか一方の側（本実施例では右側）へ放出案内できるように構成している。  
このように、複数の案内板９４は排塵処理室５９と選別室５０の双方からの排塵物を受けて分散するようにしている。
【００３４】
また、分離板９３の下方から後部が分離板９３の仮想延長線よりも後方に来るように構成した揺動棚５１の幅方向いっぱいに後下がりの傾斜状に取り付けた傾斜板９８を設け、該傾斜板９８の後部が分離板９３の仮想延長線よりも後方に来るように構成し、この傾斜板９８の上面に一枚以上の風ガイド９７を背面視右下がり状に設けている。
【００３５】
上記構成により排塵処理室５９と選別室５０からの排塵物を圃場に均分に排出でき、窒素分の圃場のバラツキを防げる。  
即ち、揺動棚５１の後端部に設けた傾斜板９８の後部が、分離板９３の仮想延長線よりも後側に配置されるため、揺動棚５１の後端部から傾斜板９８の上を流下する排塵物に排塵ファン９１の風を効果的に作用させて既刈側の圃場面（コンバイン１の右側の圃場）に分散して排出できる。これにより圃場面上に排出された藁屑の層厚の偏りを少なくでき、この藁屑を堆肥とした土質の偏りを小さくして安定した収量を得ることができる。
【００３６】
また、傾斜板９８の上に背面視で右下がりの風ガイド９７を設けているが、該風ガイド９７は背面視で風ガイド９７の始端部が扱胴６９の中心軸と排塵処理胴７１の中心軸との間に来るように構成した。  
これにより、扱室６６の後端の排稈口（脱穀後の排藁の穂先部が出ていくところ）から排出される扱室排塵物と排塵処理室５９からの排塵物とを、コンバイン１の右側（既刈側）へ円滑に排出できる。  
また、風ガイド９７と傾斜板９８とを排藁カッター８１ｂの回転刃の下側に来るように配置しているので、排藁カッター８１ｂによる切藁を圃場に均分に拡散でき、窒素分の圃場のバラツキを防げる。
【００３７】
さらに、背面視において風ガイド９７の始端部が扱胴６９の回転軸と後側板始端部１００（図６）とのほぼ中間に来るような構成にした。なお、後側板始端部１００は扱胴６９の後側を軸支する板であり、扱室６６の後側壁となるものである。  
このような構成により、扱室６６からの扱室排塵物と排塵処理室５９からの排塵物を圃場に均分に排出でき、窒素分の圃場のバラツキを防げる。
【００３８】
また、風ガイド９７の始端部が複数配置されるストローラック６２（図６）のほぼ中央部に来るようにしているので、排塵処理室５９からの排塵物を圃場に均分に排出でき、窒素分の圃場のバラツキを防げる。  
このように藁が腐敗すると窒素分が多くなり、窒素分が多いと土壌が酸性になって腐食しやすいので、窒素分を圃場面に均一分散して肥料成分として有効に活用することができる。
【００３９】
図１と図３と図８の唐箕吸気口部分の右側面図と図９の刈取装置６の伝動ケース１７の部分の拡大図と図１０の要部左側面図に示すように、唐箕７９の両側面の選別室壁面（脱穀装置側壁）に設けた吸気口５４，５４の近傍には回動支点８０ａ，８０ａを中心に回動するプレート状のシャッター８０，８０を設け、刈取装置６に連動してシャッター８０，８０が開閉する構成とし、コンバインが旋回中は刈取装置６を上昇させるとシャッター８０，８０が閉じる構成としている。
【００４０】
シャッター８０，８０が閉じると唐箕７９の風速を落とし、脱穀で得た穀粒が排塵として機外に放出されてロスされることがない。また、刈取作業時には唐箕シャッター８０，８０を開ける事で、選別性能を向上させる。
【００４１】
また、両方のシャッター８０，８０を刈取装置６の上下動と連動させる機構を脱穀装置１５の右側だけに設けてある。これは図１０に示すように脱穀装置１５の左側には選別部を連動して駆動する選別ベルト５７、唐箕駆動ベルト７８等が設けているだけでなく、フィードチェン１４もあり、藁屑の落下及びベルトとの干渉が予想されるからである。
【００４２】
コンバインの旋回時に刈取装置６の伝動ケース１７をＡ方向（図１）に上昇させると、該伝動ケース１７の回動中心部に該伝動ケース１７に直交する方向に設けられる刈取入力ギアケース２３、２３に一体的に取り付けられる、前記伝動ケース１７に直交する方向に伸びている刈取入力ギアケース２３，２３と一体的に刈取アーム２４，２４が設けられており、該刈取アーム２４，２４にはスプリング２５，２５を介してワイヤ２６，２６がＢ方向（図１）に下降し、該ワイヤ２６，２６の先端に端部を連結されているシャッター８０，８０が吸気口５４，５４を閉じる構成である。
【００４３】
このように、スプリング２５，２５を介してワイヤ２６，２６を取り付ける事で、刈取装置６をマイナス刈り状態にした時（刈取装置６の分草具７をクローラ４の接地面よりも下側に下げた状態のとき）にスプリング２５，２５が伸びるので、シャッター８０，８０の作動部に無理な力が掛からない。また、刈取アーム２４，２４の先端にワイヤ２６，２６を取り付けることでワイヤ２６，２６のストロークを少なくして、刈取装置６の上下動を感知できる。
【００４４】
また、図９に示すように、シャッタ作動部にシャッター８０，８０が吸気口５４，５４を閉じる方向に作用するアシストスプリング２８，２８を設けることでワイヤ２６，２６を緩めた時に、シャッター８０，８０が素早く吸気口５４，５４を閉めることができる。
【００４５】
図９に示すように、刈取アーム２４，２４を入口漏斗１３，１３の下方に配置した構成にすると、刈取アーム２４、２４に藁屑が堆積することを防止できる。
【００４６】
また、前記スプリング２５，２５の引張り荷重をアシストスプリング２８，２８の引張り荷重より強くした構成とすることで、刈取装置６を上昇させた時にシャッター８０，８０を素早く、スムーズに閉じることができる。
【００４７】
図１１に脱穀装置１５の要部背面図を示すように、唐箕シャッター８０，８０を唐箕安全カバー２９，２９の内側に設けている。唐箕安全カバー２９，２９は、唐箕７９への空気吸入効率の関係で唐箕吸気口５４，５４から、１００ｍｍ以上離して設ける事が多い。唐箕シャッター８０，８０を唐箕安全カバー２９，２９内で、唐箕７９の吸気口５４，５４の近くに設けることで、シャッター効果が大きくなる。
【００４８】
また、コンバイン旋回時に排出されるコーナーロスを抑制するためには、唐箕風量を若干少なくすることで有効であるので、唐箕７９の両側の吸気口５４，５４の上側のみを塞ぐために、シャッター８０，８０で唐箕の両側の吸気口５４，５４の上側のみを塞ぐようにプレート５６，５６をそれぞれ吸気口５４，５４に配置している。
【００４９】
また、図１２には矢印Ａ方向から見た図を示すが、大型コンバインは、強度上唐箕吸気口５４，５４の前後に補強部材３３，３３を設けているが、この補強部材３３，３３と同じ高さのプレート３４，３４を取り付けることにより、唐箕シャッター８０，８０との隙間をなくすことで、シャッター８０，８０を閉じた時の効果をより大きくすることができる
【産業上の利用可能性】
【００５０】
本発明の脱穀装置はコンバインなどの収穫した穀粒の処理装置に利用できる。
【図面の簡単な説明】
【００５１】
【図１】本発明の実施の形態の穀類の収穫作業を行うコンバインの左側面図を示す。
【図２】図１のコンバインの右側面図を示す。
【図３】図１のコンバインの平面図を示す。
【図４】図１のコンバインの正面図を示す。
【図５】図１のコンバインの脱穀装置の内部構造図を示す。
【図６】図５の脱穀装置の背面図を示す。
【図７】図１のコンバインの脱穀装置の扱胴などの処理胴を含む部分の一部切り欠き平面図を示す。
【図８】図５の脱穀装置の唐箕吸気口部分の右側面図である。
【図９】図１のコンバインの刈取装置の伝動ケースの部分の拡大図である。
【図１０】図５の脱穀装置の唐箕吸気口部分の左側面図である。
【図１１】図５の脱穀装置の要部背面図である。
【図１２】図５の脱穀装置の唐箕吸気口部分の要部平面図である。
【符号の説明】
【００５２】
１  コンバイン              ２    走行フレーム
３  走行装置                ４    クローラ
６  刈取装置                ７    分草具
８  穀稈引き起こし装置      １１  刈刃
１２  フィードチェン挟扼杆  １３  入口漏斗
１４  フィードチェン        １５  脱穀装置
１７  刈取装置伝動ケース    １８  縦オーガ
１９  横オーガ              １９ａ  排出シュータ
２０  操縦席                ２３  刈取入力ギアケース
２４  刈取アーム            ２５  スプリング
２９  唐箕安全カバー        ３０  ホッパ
３３  補強部材              ３４  プレート
３５  キャリア              ５０  選別室
５１  揺動棚                ５２  移送棚
５３  シーブ                ５４  吸気口
５７  選別ベルト            ５８  二番処理室
５９  排塵処理室            ６２  ストローラック
６３  選別網                ６４  一番棚板
６５  一番揚穀筒            ６５ａ  一番螺旋
６６  扱室                  ６６ａ  前板
６６ｂ  中板                ６６ｃ  後板
６６ｘ  連通口              ６９  扱胴
６９ａ  扱歯                ７０  二番処理胴
７０ａ  二番処理螺旋        ７１  排塵処理胴
７１ａ  螺旋体              ７２  受け網
７８  唐箕駆動ベルト        ７９  唐箕
７９ａ  唐箕ファン          ８０  シャッター
８１ａ，８１ｂ  排藁カッター 
８５  二番棚板              ８６  二番螺旋
８７  二番還元筒            ９１  排塵ファン
９３  分離板                ９４  案内板
９５  排藁処理室            ９７  風ガイド
９８  傾斜板                ９９  排出ガイド
１００  後板側始端部        １０１  燃料タンク
１０２  プレート            １０３  タンク固定バンド
１０３ａ  穴                １０４  ボルト
１０５  ナット              １０７  ネジ
１０８  Ｌ字プレート        １０８ａ  穴
【図１】
2008271788.tif 000003
【図２】
2008271788.tif 000004
【図３】
2008271788.tif 000005
【図４】
2008271788.tif 000006
【図５】
2008271788.tif 000007
【図６】
2008271788.tif 000008
【図７】
2008271788.tif 000009
【図８】
2008271788.tif 000010
【図９】
2008271788.tif 000011
【図１０】
2008271788.tif 000012
【図１１】
2008271788.tif 000013
【図１２】
2008271788.tif 000014